(57)【要約】【課題】作業工数を低減し、回転力を確実に伝達できるアウターロータ型モータを提供する。【解決手段】アウターロータ型モータは、底面及び底面の外側周縁部から上側に延在する側壁を有するロータハウジングと、ロータハウジングの側壁内側面に取付けられた複数の永久磁石と、ロータハウジングの底面中央にインサートモールディングにて結合されるベース及びベースの中央に設けられた孔の開いたシャフト結合部を備えるシャフトブッシュと、シャフトブッシュのシャフト結合部の孔に結合される駆動シャフトとを備える。複数のブレード孔がロータハウジング底面に円周方向に形成され、複数のブレードが上面に配置されたブレード板が、ブレードがロータハウジング底面の各ブレード孔に挿入されるようにロータハウジング底面下側に取り付けられる。ブレード板及びブレードはインサートモールディングによって形成される。【選択図】図３
2008516577.tif 000002
【特許請求の範囲】
【請求項１】
アウターロータ型モータであって、
底面及び底面の外側周縁部から上側に延在する側壁を有するロータハウジングと、
前記ロータハウジングの前記側壁の内側面に取り付けられる複数の永久磁石と、
前記ロータハウジングの前記底面の中央にインサートモールディングによって結合されるベース及び前記ベースの中央に設けられた孔の開いたシャフト結合部を備えるシャフトブッシュと、
前記シャフトブッシュの前記シャフト結合部の孔に結合される駆動シャフトとを備えることを特徴とするアウターロータ型モータ。
【請求項２】
前記シャフトブッシュの前記シャフト結合部の孔の内周面は、セレーションが形成され、前記孔に結合される前記駆動シャフトの端部の外周面は、それに対応するセレーションが形成されることを特徴とする請求項１に記載のアウターロータ型モータ。
【請求項３】
前記シャフトブッシュの前記シャフト結合部の外周部は、複数の補強リブが円周方向に提供されることを特徴とする請求項１に記載のアウターロータ型モータ。
【請求項４】
複数のブレード孔が、前記ロータハウジングの前記底面に円周方向に形成され、複数のブレードが上面に配置されたブレード板が、前記ブレードが前記ロータハウジングの前記底面の前記各ブレード孔に挿入されるように、前記底面の下側に取り付けられることを特徴とする請求項１に記載のアウターロータ型モータ。
【請求項５】
前記ブレード板及び前記ブレードは、インサートモールディングによって形成されることを特徴とする請求項４に記載のアウターロータ型モータ。
【請求項６】
複数のブレード孔が、前記ロータハウジングの前記底面に円周方向に形成され、複数のブレードが前記ロータハウジングの前記底面の前記各ブレード孔の１つのエッジに沿って、突出して配置されるようにインサートモールディングによって形成されることを特徴とする請求項１に記載のアウターロータ型モータ。
【請求項７】
請求項１乃至請求項６の何れか１つの請求項に記載のアウターロータ型モータを備えるドラム洗濯機。
【発明の詳細な説明】
【技術分野】
【０００１】
本発明は、アウターロータ型モータに関し、より詳しくは、シャフトブッシュとロータハウジングとの結合をインサートモールディングによって行うことで、作業工数を低減し、シャフトとシャフトブッシュとの結合部にセレーションを形成することで、回転力を確実に伝達できるアウターロータ型モータ及びそれを備えたドラム洗濯機に関する。
【背景技術】
【０００２】
一般に、モータは交流モータと直流モータとに分類され、交流モータは誘導モータを含む。
【０００３】
誘導モータは、単相誘導モータだけでなく、３相誘導モータ、３相巻線型誘導モータ等のように多様に設計できる。誘導モータは交流モータの中でも最も使用し易いことから、一般の家電製品に多く用いられている。
【０００４】
このような誘導モータは、負荷に応じた定速回転ができること及び寿命の長さから動力用モータに好適である。
【０００５】
誘導モータは基本的にハウジングと、ハウジングに固定され、巻線コイルを介して外部から電源の印加を受けて誘導磁気を発生するステータと、ステータから発生した誘導磁気により、ベアリングを介してハウジングに回転可能に支持される駆動シャフトと共に回転するロータとを備える。
【０００６】
誘導モータは、電源に接続されている１次巻線の電磁誘導により２次巻線に電流が誘導され、２次巻線に誘導される電流及び回転磁界の相互作用により回転力を得る。誘導モータは、ロータ及びステータの相対位置に応じてインナーロータ型とアウターロータ型とに区分される。
【０００７】
近年は、同一体積でトルクを増加させるため、ロータがステータの外側に備えられ、ステータの内部空間を別の用途に活用できるアウターロータ型誘導モータが広く使用されている。
【０００８】
図１は、従来のアウターロータ型誘導モータのロータを示している。
【０００９】
図１に示されるロータは、プレス加工されてモータの外形を形成するスチール材質のロータ１と、ロータ１の内周面に圧入される積層鉄心２ａ及び積層鉄心２ａの上面と下面に夫々備えられるリング状のエンド部材２ｂからなるロータコア２と、ロータ１と回転軸（図示せず）とを結合するためのシャフトブッシュ３とからなる。
【００１０】
このように、回転ロータ１は、回転力を回転軸に伝達するために、前記シャフトブッシュ３を用いるが、このようなロータ１とシャフトブッシュ３との結合が図２に示される。
【００１１】
図２において、回転軸４がシャフトブッシュ３の中心孔に挿入された後、回転軸４及びシャフトブッシュ３は第１結合ボルト６により互いに固定される。シャフトブッシュ３は、その外面に形成された固定突起部７が、ロータ１の底面に形成された孔に挿入されるようにロータ１の底面に装着された後、別途第２ボルト８によって前記ロータ１に固定される。
【００１２】
このように、従来のアウターロータ型誘導モータでは、シャフトブッシュ３及びロータ１がボルト８により結合されるため、ボルトを締付ける作業が求められる。また、回転軸４及びシャフトブッシュ３を締付けるボルト６の締付けが緩くなった場合、ブッシング３と回転軸４との間にスリップが生じ、回転力の伝達効率が低下するという問題がある。
【発明の開示】
【課題を解決するための手段】
【００１３】
そこで、本発明は上記事情に鑑みてなされたものであって、本発明の目的は、シャフトブッシュとロータハウジングとの結合をインサートモールディングによって行うことで、作業工数を低減し、シャフトとシャフトブッシュとの結合部にセレーションを形成することで、回転力を確実に伝達できるアウターロータ型モータを提供することにある。
【００１４】
本発明の一態様によれば、アウターロータ型モータであって、底面及び底面の外側周縁部から上側に延在する側壁を有するロータハウジングと、ロータハウジングの側壁の内側面に取り付けられた複数の永久磁石と、ロータハウジングの底面の中央にインサートモールディングによって結合されるベース及びベースの中央に設けられた孔の開いたシャフト結合部を備えるシャフトブッシュと、シャフトブッシュのシャフト結合部の孔に結合される駆動シャフトとを備えることを特徴とするアウターロータ型モータが提供される。
【００１５】
好ましくは、シャフトブッシュのシャフト結合部の孔の内周面は、セレーションが形成され、シャフト結合部の孔に結合される駆動シャフトの端部の外周面は、それに対応するセレーションが形成される。
【００１６】
好ましくは、シャフトブッシュのシャフト結合部の外周部は、複数の補強リブが円周方向に提供される。
【００１７】
好ましくは、複数のブレード孔がロータハウジングの底面に円周方向に形成され、複数のブレードが上面に配置されたブレード板が、ブレードがロータハウジングの底面の各ブレード孔に挿入されるように、底面の下側に取り付けられる。この場合、ブレード板及びブレードはインサートモールディングによって形成されることが好ましい。
【００１８】
好ましくは、複数のブレード孔がロータハウジングの底面に円周方向に形成され、複数のブレードがロータハウジングの底面のブレード孔の１つのエッジに沿って、突出して配置されるようにインサートモールディングによって形成される。
【００１９】
本発明の他の態様によれば、上述したようなアウターロータ型モータを備えるドラム洗濯機が提供される。
【発明を実施するための最良の形態】
【００２０】
以下、図３乃至図５を参照して、本発明の一実施例によるアウターロータ型モータについて説明する。
【００２１】
図３は、本発明のアウターロータ型モータのロータ１０の分解斜視図であり、図３を参照すれば、ロータ１０は、ロータハウジング１１と、ロータハウジングの底面１８の中央に結合されるシャフトブッシュ３０と、ブレード４０が円周方向に配置された円板状のブレード板４５とを含む。
【００２２】
例えば、スチール製のロータハウジング１１は、底面１８及び底面１８の外側周縁部から上側に延在する側壁１５を備える。底面１８の中央にはシャフトブッシュが結合されるシャフトブッシュ結合部２５が設けられる。シャフトブッシュ結合部２５は、駆動シャフト５０を通す中心孔を有する。ロータハウジング１１の底面１８には円周方向に多数のブレード孔１７が形成される。側壁１５の内側面には円周方向に多数の永久磁石２０が取り付けられる。
【００２３】
シャフトブッシュ３０は、ベース３４及びベース３４の中央に設けられたシリンダ状のシャフト結合部３２を備える。シャフトブッシュ３０は、ベース３４が、ロータハウジング１１の底面１８に設けられたシャフトブッシュ結合部２５にインサートモールドされることによって、ロータハウジング１１に結合される。従って、従来のようなボルトによる締結工程は排除される。シャフト結合部３２の内周面にはセレーション３１が形成され、駆動シャフト５０の端部の外周面にもそれに対応するセレーション５１が形成される。従って、シャフト結合部３２の内周面のセレーション３１と駆動シャフト５０のセレーション５１とが噛み合って、駆動シャフト５０とシャフトブッシュ３０とがスリップするのを防止することで、回転力の伝達効率の低下を防止する。また、シャフト結合部３２の外周部に複数の補強リブ３３が円周方向に提供されて、駆動シャフト５０がシャフト結合部３２に結合される際の締結力や、ロータ１０から駆動シャフト５０に伝達される回転力等により、シャフト結合部３２が破損するのを防止する。
【００２４】
更に、ブレード板４５は、その上面に配置されたブレード４０が、ロータハウジング１１の底面１８の対応するブレード孔１７に挿入されて上方に突出するように、ロータハウジング１１の底面１８の下側に取り付けられる。この場合、ブレード板４５及びブレード４０はインサートモールディングによって形成されることが好ましい。ブレード４０は、ロータハウジング１１と共に回転してロータハウジング１１の内部の空気をステータ１５７のコイル等に向かって送り込み、ステータ１５７のコイル等を冷却させることができる。
【００２５】
一方、変形例として、図６及び図７に示すように、ブレード４０はブレード板４５上に取り付けられず、インサートモールディングによってロータハウジング１１の底面１８のブレード孔１７から上側及び／又は下側に突出するように結合されることもできる。この場合、ブレード４０は各ブレード孔の何れか１つの長い半径方向のエッジに沿って延在するように提供される。ブレード４０はロータハウジング１１と共に回転するため、ロータハウジング１１の外側から空気が内部に流入し、ステータ１５７のコイル等を冷却させることができる。
【００２６】
図４は、本発明の実施例によるアウターロータ型モータが装着されたドラム洗濯機の断面図であり、図５は、図４の一部拡大断面図である。
【００２７】
アウターロータ型モータは、ドラム洗濯機の外形を形成するキャビネット１４０の後方に設けられ、キャビネット１４０の前方にはドア１４２が開閉可能に設けられる。キャビネット１４０の内側にはタブ１４５が懸架バネ１４１によって懸垂され、タブ１４５の内側にはドラム１４４が回転可能に設けられている。ドラム１４４の後端部はモータの駆動シャフト５０と一体に射出成形されて、モータの回転力がドラム１４４に伝達される。
【００２８】
モータの駆動シャフト５０は、ベアリングハウジング１５２の内側に設けられたベアリング１５３によって回転可能に支持される。更に、ベアリングハウジング１５２の後端部はベースプレート１５４に固定され、ベースプレート１５４によりモータから隔離される。ベースプレート１５４は、ベアリングハウジング１５２及びタブ１４５の外側を覆うように設けられる。更に、ベースプレート１５４は、ベアリングハウジング１５２をタブ１４５に固定させると共に、モータをタブ１４５から隔離させる役割を果たす。
【００２９】
ベースプレート１５４には、モータのステータ１５７が固定される。また、本発明のロータ１０の円筒型ロータハウジング１１は、その内側面に取り付けられた永久磁石２０がステータ１５７と対向するように設けられる。
【００３０】
モータのロータ１０が回転するとき、駆動シャフト５０及びドラム１４４が回転し、所望の洗濯機能を行う。
【００３１】
以上、添付の図面を参照して本発明の好ましい実施例を説明したが、本発明は斯かる実施例に限定されるものではなく、特許請求の範囲の記載から把握される技術的範囲において種々の実施形態に変更可能である。
【産業上の利用可能性】
【００３２】
本発明に係るアウターロータ型モータによれば、シャフトブッシュ３０がインサートモールディングによってロータハウジング１１の底面１８と一体に形成されるため、ボルト等の締結部材が不要となりモータのロータの製作が簡単になる。また、駆動シャフト５０とシャフトブッシュ３０との結合部にセレーションを形成することで、回転力を確実に伝達できるようにし、回転力の伝達効率が低下するのを防止できる。更に、ブレード４０がインサートモールディングによってロータハウジング１１の底面１８のブレード孔１７に結合される場合には、モータの生産性が更に向上する。
【図面の簡単な説明】
【００３３】
【図１】従来のアウターロータ型モータのロータを示す分解斜視図である。
【図２】図１のシャフトブッシュに駆動シャフトが結合されている状態を示す断面図である。
【図３】本発明の一実施例によるアウターロータ型モータのロータを示す分解斜視図である。
【図４】本発明の実施例によるアウターロータ型モータが設けられているドラム洗濯機の駆動部を示す断面図である。
【図５】図４の主要部を示す部分拡大断面図である。
【図６】本発明の変形例によるアウターロータ型モータのロータを示す分解斜視図である。
【図７】本発明の変形例によるアウターロータ型モータがドラム洗濯機に設けられた状態を示す断面図である。
【図１】
2008516577.tif 000003
【図２】
2008516577.tif 000004
【図３】
2008516577.tif 000005
【図４】
2008516577.tif 000006
【図５】
2008516577.tif 000007
【図６】
2008516577.tif 000008
【図７】
2008516577.tif 000009
【国際調査報告】
2008516577.tif 000010
2008516577.tif 000011